(57)【要約】【課題】経済的に幅広いサイズかつ大量のマイクロナノバブル又はナノバブルを発生させることができる浴槽装置および浴槽水作成方法を提供すること。【解決手段】浴槽水の一部を収容する充填材収容容器５０に、ミネラルオイルおよび入浴剤を投入すると共に、マイクロナノバブル又はナノバブルを発生する。【選択図】図１
2008132117.tif 000002
【特許請求の範囲】
【請求項１】
浴槽水の少なくとも一部を収容する浴槽水収容容器と、
上記浴槽水収容容器内の上記浴槽水中にマイクロナノバブルを発生するマイクロナノバブル発生機と、
上記浴槽水収容容器に発砲剤および入浴剤のうちの少なくとも一方を注入する注入装置と
を備えることを特徴とする浴槽装置。
【請求項２】
請求項１に記載の浴槽装置において、
上記注入装置は、上記浴槽水収容容器に、ミネラルオイル、または、ミネラルオイルおよび入浴剤を注入することを特徴とする浴槽装置。
【請求項３】
請求項１に記載の浴槽装置において、
上記浴槽水収容容器内に充填材が配置されていることを特徴とする浴槽装置。
【請求項４】
請求項３に記載の浴槽装置において、
上記充填材は、リング型ポリ塩化ビニリデン充填物であることを特徴とする浴槽装置。
【請求項５】
請求項３に記載の浴槽装置において、
上記充填材は、ひも状型ポリ塩化ビニリデン充填物であることを特徴とする浴槽装置。
【請求項６】
請求項３に記載の浴槽装置において、
上記充填材は、ナイロン製の充填材であることを特徴とする浴槽装置。
【請求項７】
請求項３に記載の浴槽装置において、
上記充填材は、活性炭であることを特徴とする浴槽装置。
【請求項８】
請求項１に記載の浴槽装置において、
上記注入装置は、
ミネラルオイルを収容するミネラルオイル目盛容器と、
入浴剤を収容する入浴剤目盛容器と、
上記ミネラルオイル目盛容器から上記浴槽水収容容器へのミネラルオイルの流れの経路途中に配置された第１制御バルブと、
上記入浴剤目盛容器から上記浴槽水収容容器へのミネラルオイルの流れの経路途中に配置された第２制御バルブと、
上記第１制御バブルの開閉を制御すると共に、上記第２制御バルブの開閉を制御する制御装置と
を有し、
上記マイクロナノバブル発生機は、上記浴槽水収容容器内に配置された水中ポンプ型マイクロナノバブル発生機であり、
上記水中ポンプ型マイクロナノバブル発生機に空気を送るブロワーを備え、
上記制御装置は、上記ブロワーから上記水中ポンプ型マイクロナノバブル発生機に空気を送るタイミングと、上記ブロワーから上記水中ポンプ型マイクロナノバブル発生機に送られる空気の量を制御していることを特徴とする浴槽装置。
【請求項９】
請求項１に記載の浴槽装置において、
上記マイクロナノバブル発生機は、ナノバブルのみを発生するナノバブル発生機であることを特徴とする浴槽装置。
【請求項１０】
請求項１に記載の浴槽装置において、
上記浴槽水収容容器は、浴槽水の一部を収容することを特徴とする浴槽装置。
【請求項１１】
浴槽水収容容器内に水を収容し、
上記浴槽水収容容器内の水に、マイクロナノバブルを含有させ、
上記浴槽水収容容器内の水に、発砲剤と入浴剤とを注入することを特徴とする浴槽水作成方法。
【請求項１２】
請求項１１に記載の浴槽水作成方法において、
上記浴槽水収容容器内に充填材を収容して、上記浴槽水収容容器内の水の水中に位置する上記充填材に微生物を繁殖させる浴槽水作成方法。
【請求項１３】
請求項１１に記載の浴槽水作成方法において
上記浴槽水収容容器内の水に、マイクロナノバブルを含有させるのと連動して、上記浴槽水収容容器内の水に、発砲剤と入浴剤とを注入することを特徴とする浴槽水作成方法。
【請求項１４】
請求項１１に記載の浴槽水作成方法において、
マイクロナノバブルは、ナノバブルのみからなることを特徴とする浴槽水作成方法。
【発明の詳細な説明】
【技術分野】
【０００１】
本発明は、浴槽装置および浴槽水作成方法に関し、特に、マイクロナノバブル発生機、発泡剤および充填材を活用した浴槽装置および浴槽水作成方法に関する。
【背景技術】
【０００２】
従来、マイクロナノバブル発生機を利用した浴槽は、マイクロナノバブルの発生量が少ないと共に、マイクロナノバブルのサイズの範囲が狭くて、マイクロナノバブルバブルが人体、特に血流、に及ぼす影響は、小さかった。
【０００３】
詳しくは、日本では糖尿病患者が多く、糖尿病患者においては、足の末端付近の血流悪化を原因とする壊疽による足の切断等が必要になることすらある。
【０００４】
ここで、人の足の血流が悪化した場合に効果がある改善方法としては、浴槽システムに、多数の旋回流方式のマイクロナノバブル発生機を設置し（現在知られているものとしては、１０台の旋回流方式のマイクロナノバブル発生機を設置し）、浴槽水内に大量のマイクロナノバブルを発生させる方法がある。
【０００５】
しかしながら、この方法は、多数のマイクロナノバブル発生機を運転するための電気代や、多数のマイクロナノバブル発生機のイニシャルコストに起因する浴槽の製造コストが高く、この方法を実用化することは、現実的ではない。
【０００６】
すなわち、浴槽装置において、マイクロナノバブルのサイズにおいて、幅広いサイズのマイクロナノバブルを発生させることができ、かつ、大量のマイクロナノバブルを発生させれば、人体に良い影響を及ぼすことがわかってきたが、経済的に、幅広いサイズのマイクロナノバブルを発生させることができ、かつ、大量のマイクロナノバブルを発生させる浴槽装置や、浴槽水作成方法は、見出されていない。
【０００７】
また、マイクロナノバブルは、人体の洗浄効果もあるが、従来、マイクロナノバブルを使用した浴槽装置では、人体の洗浄の結果発生する人体からのアカによる浴槽水の汚れを防止する対策としては、浴槽水の入れ替えしか存在していなかった。
【０００８】
詳しくは、従来、ナノバブルを利用した方法及び装置としては、特開２００４−１２１９６２号公報（特許文献１）に記載されているものがある。
【０００９】
この装置および方法は、ナノバブルが有する浮力の減少、表面積の増加、表面活性の増大、局所高圧場の生成、および、静電分極の実現による界面活性作用と殺菌作用などの特性を活用している。より具体的には、それらを相互に関連させることによって、汚れ成分の吸着機能、物体表面の高速洗浄機能、および、殺菌機能による各種物体の高機能かつ低環境負荷での洗浄を実現でき、汚濁水の浄化を行うことができることを開示している。
【００１０】
また、従来、ナノ気泡を生成する方法としては、特開２００３−３３４５４８号公報（特許文献２）に記載されているものがある。この方法は、液体中において、液体の一部を分解ガス化する工程、液体中で超音波を印加する工程、または、液体の一部を分解ガス化する工程及び超音波を印加する工程から構成されている。
【００１１】
また、従来、オゾンマイクロバブルを利用する廃液の処理装置としては、特開２００４−３２１９５９号公報（特許文献３）に記載されているものがある。
【００１２】
この処理装置は、マイクロバブル発生装置に、オゾン発生装置より生成されたオゾンガスと処理槽の下部から抜き出された廃液を加圧ポンプを介して供給している。また、生成されたオゾンマイクロバブルをガス吹き出しパイプの開口部より処理槽内の廃液中に通気している。
【００１３】
しかしながら、上記３つのマイクロナノバブルを用いた技術を例とする既存のマイクロナノバブルを用いた技術を参照しても、経済的に、幅広いサイズのマイクロナノバブルを発生させることができ、かつ、大量のマイクロナノバブルを発生させることができなくて、人体に良い影響を及ぼす効果を、効率的に獲得することが困難になっている。
【特許文献１】特開２００４−１２１９６２号公報
【特許文献２】特開２００３−３３４５４８号公報
【特許文献３】特開２００４−３２１９５９号公報
【発明の開示】
【発明が解決しようとする課題】
【００１４】
そこで、本発明の課題は、経済的に幅広いサイズかつ大量のマイクロナノバブルを発生させることができる浴槽装置および浴槽水作成方法を提供することにある。
【００１５】
特に、この発明は、人体に有益な効果が顕著に表れるマイクロナノバブル、すなわち、サイズが１０μｍから数百nｍ前後の直径を有し、かつ、その範囲のサイズにおいて、幅広い種類のマイクロナノバブルを、多量に作製することができる浴槽装置および浴槽水作成方法を提供することにある。
【００１６】
また、特に、この発明は、人体に有益な効果が顕著に表れるマイクロナノバブル、すなわち、サイズが１０μｍから数百nｍ前後の直径を有し、かつ、その範囲のサイズにおいて、幅広い種類のマイクロナノバブルを、多量に作製することができ、かつ、一台のマイクロナノバブル発生機しか有さず、運転および製造コストが小さい浴槽装置を提供することにある。
【課題を解決するための手段】
【００１７】
上記課題を解決するため、この発明の浴槽装置は、
浴槽水の少なくとも一部を収容する浴槽水収容容器と、
上記浴槽水収容容器内の上記浴槽水中にマイクロナノバブルを発生するマイクロナノバブル発生機と、
上記浴槽水収容容器に発砲剤および入浴剤のうちの少なくとも一方を注入する注入装置と
を備えることを特徴としている。
【００１８】
通常のバブル（気泡）は水の中を上昇して、ついには表面でパンとはじけて消滅する気泡である。
【００１９】
マイクロバブルは、その発生時において、１０〜数十μｍの気泡径を有し、かつ、直径が５０ミクロン（μｍ）以下の気泡で、水中で縮小していき、時間の経過とともに消滅（完全溶解）したり、１０μｍから数百nｍ前後の直径を有する気泡に変化したりする。
【００２０】
ナノバブルは、マイクロバブルよりさらに小さい気泡で（直径が数百ｎｍ以下（特に、直径が１００〜２００nｍ）の気泡で）、いつまでも水の中に存在することが可能であると考えられている気泡である。
【００２１】
この明細書では、マイクロナノバブルを、直径が数十μｍ以下のバブル、すなわち、直径がマイクロバブル以下であるバブル（マイクロバブルを含む）として定義する。このため、この明細書のマイクロナノバブルは、ナノバブルのみで構成されていても良い。
【００２２】
糖尿病患者は、８００万人とも言われており、糖尿病患者の足の『しびれ感』対策で、低コストでしかも有効な方法が、現在の時点では存在していない。
【００２３】
本発明者は、大量かつサイズが多様なマイクロナノバブルを、浴槽水に含有させれば、糖尿病患者に有効であることを発見した。これは、浴槽内で人が、手で肌をこする行為の際、そのすき間の皮膚表面に大量に付着したマイクロナノバブルが皮膚内に入り込むことによって、血液の流れに作用するためではないかと推察される。
【００２４】
本発明によれば、浴槽水収容容器内の上記浴槽水中にマイクロナノバブルを発生するマイクロナノバブル発生機と、浴槽水収容容器に発砲剤および入浴剤のうちの少なくとも一方を注入する注入装置とを備えているから、人が入る浴槽内に、大量かつサイズが多様なマイクロナノバブルを、発生させることができる。したがって、入浴した人の血行を良くすることができて、入浴した人の健康状態を改善させることができる。
【００２５】
また、マイクロナノバブルを効率的に発生させることができるから、従来よりも、マイクロナノバブル発生機の台数を格段に低減できて、例えば、マイクロナノバブル発生機の台数を一台のみにすることができて、浴槽装置の運転コストを大幅に低減することができる。
【００２６】
また、一実施形態では、上記注入装置は、上記浴槽水収容容器に、ミネラルオイル、または、ミネラルオイルおよび入浴剤を注入する。
【００２７】
本発明者は、発砲剤のなかでもミネラルオイルを浴槽水収容容器に注入した場合に、効率的にマイクロナノバブルを発生することができることを実験により見出した、
上記実施形態によれば、ミネラルオイルが浴槽水収容容器に注入されるから、効率的にマイクロナノバブルを発生させることができる。
【００２８】
また、一実施形態では、上記浴槽水収容容器内に充填材が配置されている。
【００２９】
上記実施形態によれば、充填材に微生物を繁殖させることができて、充填材に繁殖した微生物で浴槽水中のアカなどの有機物を分解できる。したがって、浴槽水を清潔に保つことができると同時に、何度も浴槽水を使用することができて、節水を実現することができる。
【００３０】
また、一実施形態では、上記充填材は、リング型ポリ塩化ビニリデン充填物である。
【００３１】
上記実施形態によれば、アカとしての有機物を、リング型ポリ塩化ビニリデン充填物に物理的に付着させて、浴槽水を清潔に保つことができる。また、充填材としてのリング型ポリ塩化ビニリデン充填物に、微生物を繁殖培養して、アカなどの有機物を、生物学的に微生物分解して、浴槽水を清潔に保つことができる。
【００３２】
また、一実施形態では、上記充填材は、ひも状型ポリ塩化ビニリデン充填物である。
【００３３】
上記実施形態によれば、アカとしての有機物を、ひも状型ポリ塩化ビニリデン充填物に物理的に付着させて、浴槽水を清潔に保つことができる。また、充填材としてのひも状型ポリ塩化ビニリデン充填物に、微生物を繁殖培養して、アカなどの有機物を、生物学的に微生物分解して、浴槽水を清潔に保つことができる。
【００３４】
また、一実施形態では、上記充填材は、ナイロン製の充填材である。
【００３５】
上記実施形態によれば、ナイロン製の充填物に微生物を繁殖培養して、アカなどの有機物を、生物学的に微生物分解して、浴槽水を清潔に保つことができる。
【００３６】
また、一実施形態では、上記充填材は、活性炭である。
【００３７】
上記実施形態によれば、溶解している有機物を、活性炭に吸着させたり、浴槽水の脱色をすることができる。また、活性炭に微生物を繁殖させて、生物学的に溶解している有機物を微生物分解して、浴槽水を清潔に保つことができる。
【００３８】
また、一実施形態では、上記注入装置は、ミネラルオイルを収容するミネラルオイル目盛容器と、入浴剤を収容する入浴剤目盛容器と、上記ミネラルオイル目盛容器から上記浴槽水収容容器へのミネラルオイルの流れの経路途中に配置された第１制御バルブと、上記入浴剤目盛容器から上記浴槽水収容容器へのミネラルオイルの流れの経路途中に配置された第２制御バルブと、上記第１制御バブルの開閉を制御すると共に、上記第２制御バルブの開閉を制御する制御装置とを有し、上記マイクロナノバブル発生機は、上記浴槽水収容容器内に配置された水中ポンプ型マイクロナノバブル発生機であり、上記水中ポンプ型マイクロナノバブル発生機に空気を送るブロワーを備え、上記制御装置は、上記ブロワーから上記水中ポンプ型マイクロナノバブル発生機に空気を送るタイミングと、上記ブロワーから上記水中ポンプ型マイクロナノバブル発生機に送られる空気の量を制御している。
【００３９】
上記実施形態によれば、制御装置に事前に使用に応じたプログラムを組み込んでおくことで、効率良く所望のタイミングで所望のマイクロナノバブルを発生させることができる。また、操作が容易な浴槽装置を構築することができる。
【００４０】
また、一実施形態では、上記マイクロナノバブル発生機は、ナノバブルのみを発生するナノバブル発生機である。
【００４１】
ナノバブルは、浴槽水の中で、マイクロバブルよりも相当長く持続できるので、ナノバブルの作用を持続できる。例えば、ナノバブルは、サイズによって異なるが１０日間以上も持続できる。
【００４２】
また、ナノバブルは、マイクロバブルよりも人体に対する作用効果がマイクロバブルよりも格段にあるので、人体に対する各種作用と効果を期待できる。
【００４３】
また、ナノバブルは微生物に対する活性化効果もマイクロバブルよりも格段にあるので、浴槽水の微生物処理効果を期待できる。
【００４４】
上記実施形態によれば、マイクロナノバブル発生機が、ナノバブルのみを発生するナノバブル発生機であるから、人体に対する有益な各種作用を効率的に起こすことができ、かつ、浴槽水の微生物処理能力を向上できる。
【００４５】
また、一実施形態では、上記浴槽水収容容器は、浴槽水の一部を収容する。
【００４６】
上記実施形態によれば、運送能力に優れる浴槽装置を実現できる。
【００４７】
また、本発明の浴槽水作成方法は、
浴槽水収容容器内に水を収容し、
上記浴槽水収容容器内の水に、マイクロナノバブルを含有させ、
上記浴槽水収容容器内の水に、発砲剤と入浴剤とを注入することを特徴としている。
【００４８】
本発明によれば、理想的なマイクロナノバブルを含んだ浴槽水を作成できる。
【００４９】
また、一実施形態では、上記浴槽水収容容器内に充填材を収容して、上記浴槽水収容容器内の水の水中に位置する上記充填材に微生物を繁殖させる。
【００５０】
上記実施形態によれば、充填材に微生物を繁殖させているから、浴槽水中のアカなどの有機物を分解でき、浴槽水を清潔に保つことができる。また、浴槽水を再利用可能にすることができて、節水を実現することができる。
【００５１】
また、一実施形態では、上記浴槽水収容容器内の水に、マイクロナノバブルを含有させるのと連動して、上記浴槽水収容容器内の水に、発砲剤と入浴剤とを注入する。
【００５２】
上記実施形態によれば、発泡剤と入浴剤が、マイクロナノバブル発生機の運転に連動して注入されるから（例えば、発泡剤と入浴剤が、マイクロナノバブル発生機の運転に連動して自動的に注入する）、マイクロナノバブル発生機の運転と動じに、早い時点からマイクロナノバブルを効率的に発生させることができる。
【００５３】
また、一実施形態では、マイクロナノバブルは、ナノバブルのみからなる。
【００５４】
ナノバブルは、浴槽水の中で、マイクロバブルよりも相当長く持続できるので、ナノバブルの作用を持続できる。例えば、ナノバブルは、サイズによって異なるが１０日間以上も持続できる。
【００５５】
また、ナノバブルは、マイクロバブルよりも人体に対する作用もマイクロバブルよりも格段にあるので、人体に対する各種作用と効果を期待できる。
【００５６】
また、ナノバブルは微生物に対する活性化効果もマイクロバブルよりも格段にあるので、浴槽水の微生物処理効果を期待できる。
【００５７】
上記実施形態によれば、人体に有益が効果を大きくすることができる。
【発明を実施するための最良の形態】
【００５８】
以下、本発明を図示の形態により詳細に説明する。
【００５９】
（第１実施形態）
図１は、本発明の第１実施形態の浴槽装置１を模式的に示す図である。
【００６０】
浴槽装置１は、浴槽３８と、機器部３９とを備えている。浴槽装置１を所定の位置に設置した状態で、浴槽装置１の上部４０は、機器部３９の上部のみで構成され、機器部３９の上部は、ミネラルオイル目盛容器１０と、入浴剤目盛容器１１とを有している。以下、上および下のような鉛直方向の表現および水平方向の表現を使用した場合、それは、浴槽装置１が所定の位置に設置されている状態での表現であるものとする。
【００６１】
上記機器部３９は、充填材収容容器５０を有している。充填材収容容器５０は、ミネラルオイル目盛容器１０および入浴剤目盛容器１１の鉛直方向下方に配置されている。浴槽３８および充填材収容容器５０は、浴槽水収容容器を構成している。上記充填材収容容器５０には、リング型ポリ塩化ビニリデン充填物２４が充填されている。ミネラルオイル目盛容器１０と、充填材収容容器５０とは、配管１４によって接続され、配管１４の途中には、ミネラルオイル目盛容器１０と、充填材収容容器５０とを連通または遮断する自動ダイヤフラムバルブ１２が配置されている。また、入浴剤目盛容器１１と、充填材収容容器５０とは、配管１５によって接続され、配管１５の途中には、入浴剤目盛容器１０と、充填材収容容器５０とを連通または遮断する自動ダイヤフラムバルブ１３が配置されている。機器部３９は、制御盤４３を有している。自動ダイヤフラムバルブ１２と、自動ダイヤフラムバルブ１３とが、制御装置としての制御盤４３からの信号に基づいて開となると、発泡剤の一例としてのミネラルオイルと、入浴剤とが、重力によって鉛直方向に移動し、充填材収容容器５０に添加されるようになっている。
【００６２】
ミネラルオイルおよび入浴剤のうちの少なくとも一方が減った場合は、機器部３９の最上部よりミネラルオイルおよび入浴剤のうちの少なくとも一方を、ミネラルオイル目盛容器１０および入浴剤目盛容器１１のうちの少なくとも一方に供給するようになっている。
【００６３】
上記機器部３９の上部の側面の一部は、入浴剤挿入口９になっている。入浴剤挿入口９は、支点５１を中心として図１に矢印ａで示す上下方向に旋回できるようになっている。ミネラルオイルおよび入浴剤のうちの少なくとも一方の残量を確認する場合には、入浴剤挿入口９を上方に旋回させる。このようにして、ミネラルオイル目盛容器１０および入浴剤目盛容器１１のうちの少なくとも一方の目盛を、水平方向から確認できるようになっている。
【００６４】
入浴当初、浴槽装置１の下部４１内にマイクロナノバブルを発生させるため、所定量のミネラルオイルと、所定量の入浴剤が必要となる。自動ダイヤフラムバルブ１２は、所定量のミネラルオイルを添加するための時間のみ開となり、所定量のミネラルオイルが、浴槽装置１の下部４１内に添加されるようになっている。また、自動ダイヤフラムバルブ１３は、所定量の入浴剤を添加するための時間のみ開となり、所定量の入力剤が、浴槽装置１の下部４１内に添加されるようになっている。
【００６５】
尚、この実施形態では、発砲材としのミネラルオイルおよび入浴剤の両方が、充填材収容容器５０に添加されるようになっているが、この発明では、発砲剤および入浴剤のうちのどちらか一方のみを、充填物収容容器に添加するようにしても良い。
【００６６】
ここで、マイクロナノバブルについて説明する。
【００６７】
通常のバブル（気泡）は水の中を上昇して、ついには表面でパンとはじけて消滅する気泡である。マイクロバブルは、その発生時において、１０〜数十μｍの気泡径を有し、かつ、直径が５０ミクロン（μｍ）以下の気泡で、水中で縮小していき、時間の経過とともに消滅（完全溶解）したり、１０μｍから数百nｍ前後の直径を有する気泡に変化したりする。ナノバブルは、マイクロバブルよりさらに小さい気泡で（直径が数百ｎｍ以下（特に、直径が１００〜２００nｍ）の気泡で）、いつまでも水の中に存在することが可能であると考えられている気泡である。
【００６８】
この明細書では、マイクロナノバブルを、直径が数十μｍ以下のバブル、すなわち、直径がマイクロバブル以下であるバブル（マイクロバブルを含む）として定義する（このため、この明細書のマイクロナノバブルは、ナノバブルのみで構成されていても良い）。
【００６９】
上記機器部３９は、上部に小型のブロワー３を有する一方、下部に水中ポンプ型マイクロナノバブル発生機２を有している。水中ポンプ型マイクロナノバブル発生機２は、充填材収容容器５０内に配置されている。また、充填材収容容器５０内において、水中ポンプ型マイクロナノバブル発生機２よりも上方には、上部ネット５が配置され、充填材収容容器５０内において、水中ポンプ型マイクロナノバブル発生機２よりも下方には、下部ネット５が配置されている。
【００７０】
上部ネット５は、充填材収容容器５０内において、水中ポンプ型マイクロナノバブル発生機２よりも上部に位置するリング型ポリ塩化ビニリデン充填物２４が、水中ポンプ型マイクロナノバブル発生機２に接触することを防止し、下部ネット４は、充填材収容容器５０内において、水中ポンプ型マイクロナノバブル発生機２よりも下部に位置するリング型ポリ塩化ビニリデン充填物２４が、水中ポンプ型マイクロナノバブル発生機２に接触することを防止している。
【００７１】
上記水中ポンプ型マイクロナノバブル発生機２としては、野村電子工業株式会社のものを採用している。しかしながら、メーカーを限定するものではなく、市販の如何なる水中ポンプ型マイクロナノバブル発生機もこの発明に使用できる。ポンプ型マイクロナノバブル発生機は、目的に従って選定すれば良い。
【００７２】
上記ブロワー３は、水中ポンプ型マイクロナノバブル発生機２に、空気を供給している。自動ダイヤフラムバルブ１２と自動ダイヤフラムバルブ１３が開となった後、自動ダイヤフラムバルブ１２と自動ダイヤフラムバルブ１３が閉となった時点においても、小型ブロワー３と、水中ポンプ型マイクロナノバブル発生機２とは、運転し続けて、浴槽装置１の下部４１で、マイクロナノバブルを発生するようになっている。
【００７３】
上記制御盤４３内の制御回路で発生した制御信号は、信号線３７を介して、自動ダイヤフラムバルブ１２、自動ダイヤフラムバルブ１３、および、小型ブロワー３に出力されるようになっている。このようにして、自動ダイヤフラムバルブ１２、自動ダイヤフラムバルブ１３、小型ブロワー３、および、水中ポンプ型マイクロナノバブル発生機２の夫々の運転、正確には、夫々の自動運転を、実施するようになっている。
【００７４】
尚、浴槽装置１の使用の最、場合によっては、十分なマイクロナノバブルが発生したと判断して、小型ブロワー３および水中ポンプ型マイクロナノバブル発生機２を停止した状態で、入浴しても良いことは勿論である。
【００７５】
また、入浴する際には、マイクロナノバブルを含む浴槽水の人体に対する効果を、大きくする場合に、小型ブロワー３と、水中ポンプ型マイクロナノバブル発生機２とを連続運転して入浴する一方、マイクロナノバブルを含む浴槽水の人体に対する効果を、そんなに求めない場合に、小型ブロワー３と、水中ポンプ型マイクロナノバブル発生機２を停止して入浴するようにすれば良い。すなわち、小型ブロワー３および水中ポンプ型マイクロナノバブル発生機２の運転または停止は、入浴する人が判断すれば良い。
【００７６】
上記ブロワー３は、電気コード２２および差込み３１を有している。上記ブロワー３は、差込み３１をコンセント２３に差し込むと、運転するようになっている。水中ポンプ型マイクロナノバブル発生機２は、小型のブロワー３から毎分空５リットル程度の空気を、空気配管６を介して受けて、マイクロナノバブルを中間部ネット４２の方向に吐出するようになっている。そして、中間部ネット４２を通過したマイクロナノバブルを含むマイクロナノバブル水流１６,１８が、浴槽３８内に発生するようになっている。
【００７７】
マイクロナノバブル水流１６,１８は、浴槽３８の壁に衝突するようになっている。そして、マイクロナノバブル水流１６,１８の浴槽３８の壁への衝突によって、マイクロナノバブル水流１６,１８の流れの方向とは逆向きのマイクロナノバブル水流１７,１９が、形成されるようになっている。尚、水中ポンプ型マイクロナノバブル発生機２は、水中ポンプ型マイクロナノバブル発生機２の本体の全周囲にマイクロナノバブル水流を発生させるようになっている。
【００７８】
上記水中ポンプ型マイクロナノバブル発生機２は、電気コード２０と、差込み３３とを有している。上記差込み３３は、差込受け３２に接続され、更に、差込受け３２につながっている５mＡの漏電遮断機２１を、コンセント２３に差し込んで、水中ポンプ型マイクロナノバブル発生機２を、電気的に安全に使用するようになっている。
【００７９】
水中ポンプ型マイクロナノバブル発生機２が充填材収容容器５０内で漏電した場合、感電することが予想される。しかしながら、使用した漏電遮断機として、５mＡの、すなわち、漏電した場合でも人体に影響が出ない電流範囲の漏電遮断機２１を使用しているから、漏電による感電によって、人体に影響がでることがない。
【００８０】
一般的に、人が入浴すると、人体からアカとしての有機物が遊離して、浴槽の水面に浮き、人に不潔感を与える。しかしながら、この実施形態では、上記リング型ポリ塩化ビニリデン充填物２４が、アカとしての有機物を浴槽水から分離して、微生物分解するので、アカとしての有機物が、浴槽３８の水面付近に浮遊することが殆どない。
【００８１】
詳しくは、リング型ポリ塩化ビニリデン充填物２４は、マイナスの電荷を有しており、アカとしての有機物は、リング型ポリ塩化ビニリデン充填物２４に付着する。このことから、アカとしての有機物を、除去することができるのである。
【００８２】
更には、お湯としての浴槽水からアカを効率的に除去できるだけではない。すなわち、時間の経過とともに、お湯の高温に耐える微生物が、リング型ポリ塩化ビニリデン充填物２４に繁殖することになる。このことから、リング型ポリ塩化ビニリデン充填物２４に付着したアカとしての有機物を微生物分解できて、お湯である浴槽水を浄化することができるのである。
【００８３】
このことから、上記高温に耐える微生物の働きによって、お湯としての浴槽水を、リサイクル使用することができる。しかしながら、浴槽水の汚れ、すなわち、アカとしての有機物が、所定量以上存在している場合では、アカとしての有機物の増加率が、微生物の浄化作用による有機物の分解率よりも大きくなっていて、リング型ポリ塩化ビニリデン充填物２４の表面上に大量のアカが付着していると考えられる。このときは、次のように、リング型ポリ塩化ビニリデン充填物２４をクリーニングする。
【００８４】
すなわち、上記充填材収容容器５０の側面の上部の一部は、上部ネット取り出し口８となっており、充填材収容容器５０の側面の下部の一部は、下部ネット取り出し口７となっている。上部ネット取り出し口８および下部ネット取り出し口７は、上下に旋回するようになっている。リング型ポリ塩化ビニリデン充填物２４の表面上に大量のアカが付着していると考えられる場合、上部ネット取り出し口８や、下部ネット取り出し口７から、リング型ポリ塩化ビニリデン充填物２４を取り出し、水で洗浄して、その後、再充填するようにする。
【００８５】
また、浴槽３８の底部には、バルブ３４を介して排水配管３５が接続されている。浴槽水の汚れが目立ってきた場合は、バルブ３４を開として、浴槽水を排水配管３５を通じて排水できるようになっている。
【００８６】
リング型ポリ塩化ビニリデン充填物２４に付着した微生物が、人体に対し有害であるという実験データは、現時点では得られていない。すなわち、リング型ポリ塩化ビニリデン充填物２４に付着した微生物は、人体に対して無害であると考えられる。また、この考えは、リング型ポリ塩化ビニリデン充填物２４に付着した微生物が、お湯である浴槽水に自然発生した微生物であることからも、正しい可能性が極めて高い。というのは、現在知られている微生物において、自然発生した微生物の殆どは、人体に無害であるからである。
【００８７】
従来、リング型ポリ塩化ビニリデン充填物を、浴槽装置に、浴槽水に接触するように充填するという思想は、存在しなかった。また、従来、浄化能力に優れる浴槽装置が、存在しなかった。
【００８８】
しかしながら、本発明者は、リング型ポリ塩化ビニリデン充填物２４を、浴槽装置１に、浴槽水に接触するように充填して、リング型ポリ塩化ビニリデン充填物２４に高濃度に微生物を繁殖させ、この微生物によって、有機物を微生物分解することによって、浴槽装置１において、浄化能力を向上することに成功した。すなわち、浄化能力に優れる浴槽装置１を作成することに成功した。
【００８９】
上記第１実施形態の浴槽装置１によれば、発泡剤であるミネラルオイルと、入浴剤とを、水中ポンプ型マイクロナノバブル発生機２が設置されていると共に、浴槽水が充填されている充填材収容容器５０内に投入することができるから、水中ポンプ型マイクロナノバブル発生機２で、浴槽水中に、多量にマイクロナノバブルを発生させることができて、マイクロナノバブルの人体への生理活性効果を向上させることができる。
【００９０】
また、上記第１実施形態の浴槽装置１によれば、充填材収容容器５０内に、リング型ポリ塩化ビニリデン充填物２４が充填されているから、マイナスの電荷を帯びているリング型ポリ塩化ビニリデン充填物２４で、浴槽水中の汚れ物質（アカ等）を物理的に吸着できて、浴槽水の浄化を行うことができる。
【００９１】
また、上記第１実施形態の浴槽装置１によれば、浴槽装置１に多数の人が入浴するような状況であって、浴槽水の汚れが激しい場合であったとしても、定期的に、リング型ポリ塩化ビニリデン充填物２４を機器部３９から取り出して、定期的に、リング型ポリ塩化ビニリデン充填物２４に付着している汚れ物質を洗浄して除去し、かつ、クリーニングを行ったリング型ポリ塩化ビニリデン充填物２４を、機器部３９に戻すだけで、簡単安価に浴槽水の浄化を行うことができる。
【００９２】
また、上記第１実施形態の浴槽装置１によれば、浴槽水に含有している人体からのアカをリング型ポリ塩化ビニリデン充填物２４に繁殖した微生物により、生物学的に分解処理することができるから、浴槽水を浄化してリサイクル使用することができる。
【００９３】
また、上記第１実施形態の浴槽装置１によれば、水中ポンプ型マイクロナノバブル発生機２と、リング型ポリ塩化ビニリデン充填物２４とを、同一の充填材収容容器５０内に収容しているから、水中ポンプ型マイクロナノバブル発生機２と、リング型ポリ塩化ビニリデン充填物２４との相乗効果を実現できて、例えば、マイクロナノバブルで、リング型ポリ塩化ビニリデン充填物２４に繁殖している微生物を、活性化することができる。したがって、浴槽水の浄化能力を格段に向上させることができる。
【００９４】
尚、第１実施形態の浴槽装置１では、浴槽水収容容器が、充填材収容容器５０と、浴槽３８とから構成され、浴槽水収容容器が、浴槽水の全部を収容する形式であった。また、浴槽装置１は、機器部３９と、浴槽３８とからなっていた。
【００９５】
ここで、機器部３９は、浴槽３８から分離自在であり、かつ、浴槽３８に取り付け自在であっても良い。この場合、機器部３９のみを単独で製品とすることができるのは勿論である。ここで、機器部３９のみで、この発明の浴槽装置を構成できることを言っておく必要がある。すなわち、機器部３８のみを、この発明の浴槽装置と考えた場合、浴槽水収容容器が、充填材収容容器５０のみから構成され、浴槽水収容容器は、浴槽水の一部を収容する形式になるのである。
【００９６】
すなわち、機器部３９と、浴槽３８とを有する装置も、本発明の浴槽装置であり、機器部３９だけでも、本発明の浴槽装置になるのである。尚、以下に説明する第２乃至第６実施形態でも、このことが同様に成立する。
【００９７】
（第２実施形態）
図２は、本発明の第２実施形態の浴槽装置１０１を模式的に示す図である。
【００９８】
第２実施形態の浴槽装置１０１は、リング型ポリ塩化ビニリデン充填物２４が、ひも状型ポリ塩化ビニリデン充填物２９に置き換わっている点のみが、第１実施形態の浴槽装置１と異なっている。
【００９９】
第２実施形態の浴槽装置１０１では、第１実施形態の浴槽装置１の構成部と同一構成部には同一参照番号を付して説明を省略することにする。また、第２実施形態の浴槽装置１０１では、第１実施形態の浴槽装置１と共通の作用効果については説明を省略することにし、第１実施形態の浴槽装置１と異なる構成、作用効果についてのみ説明を行うことにする。
【０１００】
第２実施形態では、第１の実施形態におけるリング型ポリ塩化ビニリデン充填物２４が、ひも状型ポリ塩化ビニリデン充填物２９に置き換わっている点が第１実施形態と異なる。すなわち、充填物の材質が、同一である一方、充填物の形状が異なっている。
【０１０１】
ひも状型ポリ塩化ビニリデン充填物２９は、固定金具２５,２６,２７,２８によって、機器部１３９の充填材収容容器５０に固定されている。
【０１０２】
上記第２実施形態の浴槽装置１０１によれば、第１実施形態に、充填材による物理学的機能や生物学的機能を実現することができる上、更に、ひも状型ポリ塩化ビニリデン充填物２９は、固定金具２５,２６,２７,２８によって充填材収容容器５０に固定されているから、リング型ポリ塩化ビニリデン充填物２４を使用したときと異なり、充填剤が、マイクロナノバブル水流１７,１９によって流動することがない。したがって、第１実施形態と比較して、微生物を安定して繁殖させることができる。
【０１０３】
また、上記第２実施形態の浴槽装置１０１によれば、充填材として、各種商品が市販されているひも状型ポリ塩化ビニリデン充填物２９を使用しているから、充填材として、リング型ポリ塩化ビニリデン充填物２４を使用している場合と比較して、装置の製造コストを低下させることができる。すなわち、リング型ポリ塩化ビニリデン充填物２４は、商品規模が小さくて、コスト高という課題があるが、ひも状型ポリ塩化ビニリデン充填物２９は、コストが低く、システムを安価かつ容易に構築することができるのである。
【０１０４】
（第３実施形態）
図３は、本発明の第３実施形態の浴槽装置２０１を模式的に示す図である。
【０１０５】
第３実施形態の浴槽装置２０１は、リング型ポリ塩化ビニリデン充填物２４が、ナイロン製充填物３０に置き換わっている点のみが、第１実施形態の浴槽装置１と異なっている。
【０１０６】
第３実施形態の浴槽装置２０１では、第１実施形態の浴槽装置１の構成部と同一構成部には同一参照番号を付して説明を省略することにする。また、第２実施形態の浴槽装置２０１では、第１実施形態の浴槽装置１と共通の作用効果については説明を省略することにし、第１実施形態の浴槽装置１と異なる構成、作用効果についてのみ説明を行うことにする。
【０１０７】
第３実施形態では、第１の実施形態におけるリング型ポリ塩化ビニリデン充填物２４が、ナイロン製充填物３０に置き換わっている。すなわち、第１実施形態と比較して、充填材の材質が異なると共に、形状が若干異なっている。
【０１０８】
上記第３実施形態の浴槽装置２０１によれば、機器部２３９の充填材収容容器５０に配置されるナイロン製充填物３０は、数多くの商品が販売されていて、充填材のコストが低いので、装置を安価に構築することができる。また、微生物の付着と繁殖においては、リング型ポリ塩化ビニリデン充填物２４よりも劣るものの、ナイロン製充填物３０の強度が高いから、充填材の損傷を抑制することができる。
（第４実施形態）
図４は、本発明の第４実施形態の浴槽装置３０１を模式的に示す図である。
【０１０９】
第４実施形態の浴槽装置３０１は、リング型ポリ塩化ビニリデン充填物２４が、活性炭３６に置き換わっている点のみが、第１実施形態の浴槽装置１と異なっている。
【０１１０】
第４実施形態の浴槽装置３０１では、第１実施形態の浴槽装置１の構成部と同一構成部には同一参照番号を付して説明を省略することにする。また、第４実施形態の浴槽装置３０１では、第１実施形態の浴槽装置１と共通の作用効果については説明を省略することにし、第１実施形態の浴槽装置１と異なる構成、作用効果についてのみ説明を行うことにする。
【０１１１】
第４の実施形態では、機器部３３９の充填材収容容器５０に、活性炭３６が収容されている。すなわち、第１実施形態と比較して、充填材が、リング型ポリ塩化ビニリデン充填物２４から活性炭３６に置き換わっており、充填材の材質と充填材の形状とが、大きく異なっている。
【０１１２】
上記第４実施形態の浴槽装置３０１によれば、微生物の付着と繁殖においては、リング型ポリ塩化ビニリデン充填物２４よりも劣るものの、活性炭３６は、数多くの商品が販売されていて、充填材のコストが低いので、装置を安価に構築することができる。
【０１１３】
また、第４実施形態の浴槽装置３０１によれば、充填材が、活性炭３６であるから、活性炭３６の表面に微生物を繁殖させることができて、有機物を微生物分解できる。また、活性炭は、有機物吸着能力および脱色能力を有しているから、浴槽水の匂いを脱臭することができると共に、浴槽水自体の色を透明に維持することができる。また、マイクロナノバブルによって、活性炭３６に繁殖した微生物が活性化されるので、活性炭３６が吸着した有機物を、活性化した微生物で効率よく処理できて、活性炭３６の取替え、すなわち、活性炭３６の再生までの期間を長くすることができる。
【０１１４】
（第５実施形態）
図５は、本発明の第５実施形態の浴槽装置４０１を模式的に示す図である。
【０１１５】
第５実施形態の浴槽成装置４０１は、機器部４３９の下部の一部を構成する収容容器１５０に、充填材が充填されていない点が、リング型ポリ塩化ビニリデン充填物２４が、充填材収容容器５０に充填されている第１実施形態と異なる。
【０１１６】
第５実施形態の浴槽装置４０１では、第１実施形態の浴槽装置１の構成部と同一構成部には同一参照番号を付して説明を省略することにする。また、第５実施形態の浴槽装置４０１では、第１実施形態の浴槽装置１と共通の作用効果については説明を省略することにし、第１実施形態の浴槽装置１と異なる構成、作用効果についてのみ説明を行うことにする。
【０１１７】
第５実施形態では、充填材を有していないから、機器部４３９の下部が、水中ポンプ型マイクロナノバブル発生機２のみとなる。したがって、構造をシンプルにすることができて、製造コストを小さくすることができる。
【０１１８】
（第６実施形態）
図６は、本発明の第６実施形態の浴槽装置５０１を模式的に示す図である。
【０１１９】
第６実施形態の浴槽装置５０１は、充填材収容容器５０の外部にナノバブル発生機４４の本体が設置され、充填材収容容器５０の内部に、ナノバブル発生機４４の吸い込み口４５および吹き出し口４６が配置されている点が、水中ポンプ型マイクロナノバブル発生機２全体が、充填材収容容器５０内に設置されている第１実施形態の浴槽装置１と異なる。
【０１２０】
第６実施形態の浴槽装置５０１では、第１実施形態の浴槽装置１の構成部と同一構成部には同一参照番号を付して説明を省略することにする。また、第６実施形態の浴槽装置５０１では、第１実施形態の浴槽装置１と共通の作用効果については説明を省略することにし、第１実施形態の浴槽装置１と異なる構成、作用効果についてのみ説明を行うことにする。
【０１２１】
第６実施形態では、充填材収容容器５０および浴槽３８の外部にナノバブル発生機４４の本体が設置され、充填材収容容器５０の内部にナノバブル発生機４４の吸い込み口４５と吹き出し口４６が設置されている。
【０１２２】
上記第６実施形態の浴槽装置５０１によれば、ナノバブルのみを吹き出し口４６から発生することができるので、浴槽水にナノバブルを充満させることができると共に、充満しているナノバブルを持続することができて、人体に対する血流量の増加等、人体に、人体に有益な多くの生理効果を及ぼすことができる。
【０１２３】
尚、ナノバブル発生機４４は、従来のマイクロナノバブル発生機２とは異なり、大きな動力のポンプを運転して、高圧と流速を確保することで、ナノバブルを形成できる。ナノバブル発生機４３の方式としては、気液混合気体せん断方式がある。ナノバブル発生機４３が、発生するバブルが、ナノバブルのみであることは、臨床試験会社のベックマン・コールター株式会社の測定データから証明されている。尚、第６実施形態では、ナノバブル発生機として、株式会社協和機設のナノバブル発生機４４を採用したが、使用できるナノバブル発生機のメーカーが、株式会社協和機設に限らないのは、勿論である。
【０１２４】
本発明者は、第１実施形態の浴槽装置１を用いて、本発明の効能を確かめた。すなわち、浴槽水収容容器の容量、すなわち、充填材収容容器５０および浴槽３８の容量を、０.２ｍ３とし、浴槽部３８の容量を、０.１６ｍ３とし、充填材収容容器５０の容量を、０.０４ｍ３として、浴槽装置１を製作し、ミネラルオイルと入浴剤を添加して、マイクロナノバブルを理想的に発生させて、牛乳風呂の状態を作成した。そして、浴槽装置１に、真っ白なマイクロナノバブルを発生させて、糖尿病の患者の足に常時マイクロナノバブル水流が衝突している状態で、上記糖尿病の患者に、浴槽３８に約１時間足湯してもらい、入浴後、足を観察した。そして、温度が同一でマイクロナノバブルを含まない浴槽水の水流が上記糖尿病の患者の足に衝突している状態で、上記糖尿病の患者に、浴槽に約１時間足湯してもらった場合と比較して、足が明らかに赤くなっていることを確認した。また、長い期間、浴槽装置１を使用すると、しびれ感が１時的に解消することが確かめられた。また、科学的な見地からいうと、一患者においては、日によって異なるものの、浴槽装置１を使用する前と比較して、浴槽装置１の使用後の空腹時および食後の血糖値が、１０％から３０％の範囲で格段に低下することが確かめられた。
【図面の簡単な説明】
【０１２５】
【図１】本発明の第１実施形態の浴槽装置を模式的に示す図である。
【図２】本発明の第２実施形態の浴槽装置を模式的に示す図である。
【図３】本発明の第３実施形態の浴槽装置を模式的に示す図である。
【図４】本発明の第４実施形態の浴槽装置を模式的に示す図である。
【図５】本発明の第５実施形態の浴槽装置を模式的に示す図である。
【図６】本発明の第６実施形態の浴槽装置を模式的に示す図である。
【符号の説明】
【０１２６】
１,１０１,２０１,３０１,４０１,５０１  浴槽装置
２  水中ポンプ型マイクロナノバブル発生機
３  ブロワー
４  下部ネット
５  上部ネット
６  空気配管
７  下部ネット取り出し口
８  上部ネット取り出し口
９  ミネラルオイルと入浴剤挿入口
１０  ミネラルオイル目盛容器
１１  入浴剤目盛容器
１２  自動ダイヤフラムバルブ
１３  自動ダイヤフラムバルブ
１４  配管
１５  配管      
１６  マイクロナノバブル水流
１７  マイクロナノバブル水流
１８  マイクロナノバブル水流
１９  マイクロナノバブル水流
２０  電気コード
２１  ５mＡ漏電遮断器
２２  電気コード
２３  コンセント
２４  リング型ポリ塩化ビニリデン充填物
２５  固定金具
２６  固定金具
２７  固定金具
２８  固定金具
２９  ひも状型ポリ塩化ビニリデン充填物
３０  ナイロン製充填物
３１  差込み
３２  差込み受け
３３  差込み
３４  バルブ
３５  排水配管
３６  活性炭
３７  信号線
３８  浴槽
３９  機器部
４０  上部
４１  下部
４２  中間部ネット
４３  制御盤
４４  ナノバブル発生機
４５  吸い込み口
４６  吹き出し口
５０  充填材収容容器
【図１】
2008132117.tif 000003
【図２】
2008132117.tif 000004
【図３】
2008132117.tif 000005
【図４】
2008132117.tif 000006
【図５】
2008132117.tif 000007
【図６】
2008132117.tif 000008